Podtech/llm-jp-corpus-v4-ja_patent huggingface dataset:
【手続補正書】
【提出日】平成17年9月12日(2005.9.12)
【手続補正１】
【補正対象書類名】明細書
【補正対象項目名】０００２
【補正方法】変更
【補正の内容】
【０００２】
【発明が解決しようとする課題】
スターリングサイクル機関は、ピストンがシリンダを軸方向に往復動し、そして、ピストンがディスプレイサー方向に移動すると、ピストンとディスプレイサーの間に形成された圧縮室内の気体が圧縮されて放熱フィン、再生器、吸熱フィンを通ってディスプレイサーの先端とケースの先端部との間に形成された膨張室に至るとともに、ディスプレイサーを押し下げる。一方、ピストンが、ディスプレイサーと反対方向に移動すると、圧縮室の内部が負圧となり、気体が膨張室から吸熱フィン、再生器、放熱フィンを通ってシリンダ内の圧縮室に還流し、これにより、ディスプレイサーを押し上げる。このような工程中において二つの等温変化と等体積変化とからなる可逆サイクルが行われて、シリンダの先端外周に取り付けた吸熱フィンは低温となり、一方、基部外周に取り付けた外部放熱フィンは高温となる。
【手続補正２】
【補正対象書類名】明細書
【補正対象項目名】０００３
【補正方法】変更
【補正の内容】
【０００３】
ところで、前記シリンダは円柱状に成形されたアルミニウム合金、各種鋼、その他金属を切削加工することで作成されている。そしてシリンダをケースに固定すると共に前記ピストンを往復駆動させる駆動機構を保持するためのマウント部がシリンダに設けられていた。このため、マウント部の精度向上のため、このマウント部はシリンダと一体で切削加工されていた。
【手続補正書】
【提出日】平成16年3月12日(2004.3.12)
【手続補正１】
【補正対象書類名】明細書
【補正対象項目名】０００９
【補正方法】変更
【補正の内容】
【０００９】
図１は本発明の実施例１の縦断面図、図２は図１のＡ−Ａ線断面図で、１は出力軸２側に羽根車（図示せず）を取り付けた水中モータ、３は水中モータ１の軸受嵌着支持部４を備え、周囲を６個のボルト５で水中モータのフレーム６の反出力軸側に固定した主ブラケットである。


【手続補正２】
【補正対象書類名】明細書
【補正対象項目名】００１１
【補正方法】変更
【補正の内容】
【００１１】
この実施例では冷却水路形成用連結部をＴ字状のものとしたが、柱状のものを適数設け、その一部にリード線引出孔を設けてもよい。


【手続補正３】
【補正対象書類名】明細書
【補正対象項目名】符号の説明
【補正方法】変更
【補正の内容】
【符号の説明】
１      水中モータ
２      出力軸
３      主ブラケット
４      軸受嵌着支持部
５      ボルト
６      フレーム
７ａ，７ｂ      冷却水路形成用連結部
８      ヘッドカバー取付用ブラケット
９ａ，９ｂ      リード線引出孔
１０      ヘッドカバー
１１      インバータ回路部
１２      ケーブル


【手続補正４】
【補正対象書類名】図面
【補正対象項目名】図１
【補正方法】変更
【補正の内容】
【図１】
2001355591.tif 000001
【手続補正５】
【補正対象書類名】図面
【補正対象項目名】図３
【補正方法】変更
【補正の内容】
【図３】
2001355591.tif 000002
【手続補正書】
【提出日】平成16年3月25日(2004.3.25)
【手続補正１】
【補正対象書類名】明細書
【補正対象項目名】特許請求の範囲
【補正方法】変更
【補正の内容】
【特許請求の範囲】
【請求項１】
図柄表示装置において図柄変動に続いて停止表示された図柄が大当たり図柄であると大当たり遊技が行われる弾球遊技機の前面枠に設けられて、発光によって前記大当たりが出現したことを表示する大当たり表示器と、
前記大当たりが出現した弾球遊技機が出力する大当たり信号を受けると、前記大当たり信号を出力した弾球遊技機以外の複数の弾球遊技機の前記大当たり表示器を発光させる制御装置と
で構成されることを特徴とする情報表示装置。
【請求項２】
請求項１記載の情報表示装置に於いて、
前記制御装置によって他の前記弾球遊技機の大当たり表示器を発光させる表示時間を設定できる
ことを特徴とする情報表示装置。
【請求項３】
請求項１又は２記載の情報表示装置において、
複数の前記弾球遊技機に前記大当たりが出現したときに、その出現順位を表示する数値表示装置を備えた
ことを特徴とする情報表示装置。
【手続補正２】
【補正対象書類名】明細書
【補正対象項目名】０００５
【補正方法】変更
【補正の内容】
【０００５】
【課題を解決するための手段及び発明の効果】
請求項１の情報表示装置は、図柄表示装置において図柄変動に続いて停止表示された図柄が大当たり図柄であると大当たり遊技が行われる弾球遊技機の前面枠に設けられて、発光によって前記大当たりが出現したことを表示する大当たり表示器と、
前記大当たりが出現した弾球遊技機が出力する大当たり信号を受けると、前記大当たり信号を出力した弾球遊技機以外の複数の弾球遊技機の前記大当たり表示器を発光させる制御装置とで構成されることを特徴とする。
この情報表示装置を備えると、遊技機設置島に設置される複数のパチンコ機等のいずれかに大当たりが出現したら他のパチンコ機等に大当たりが出現した旨の表示をして他の遊技客に知らせることができる。
これを知らせる場合に短時間の表示をしないと目障りになることがあるから、請求項２記載のように、前記制御装置によって他の前記弾球遊技機の大当たり表示器を発光させる表示時間を設定できる構成にするとよい。
呼出ランプを大当たり表示器として用いることが考えられるが視線の位置から遊技客に知らせにくいので前面枠に設けられるトップランプを大当たり表示器とすると優れた効果がでてくる。


【手続補正３】
【補正対象書類名】明細書
【補正対象項目名】０００６
【補正方法】変更
【補正の内容】
【０００６】
上皿で大当たり表示する場合も上皿の上縁面であれば遊技者の目線が視角内にあるので良い効果が期待できる。大当たり表示器は、大当たりの出現時に報知する以外に時短モードが出現したときも表示するとまたこれも一層の効果がでてくる。


【手続補正４】
【補正対象書類名】明細書
【補正対象項目名】０００７
【補正方法】変更
【補正の内容】
【０００７】
請求項３記載の情報表示装置は、請求項１又は２記載の情報表示装置において、複数の前記弾球遊技機に前記大当たりが出現したときに、その出現順位を表示する数値表示装置を備えて、大当たりが出現した順位を表示するので、遊技場において早朝の遊技客を呼び込む手段として利用することができる。
これは、たとえば大当たりが１番目から５番目まで大当たりによって多量の遊技球を獲得したときに景品と交換をせずに遊技の続行ができるようにして遊技客の消費する遊技料金を節約させることができる。この遊技料金の節約とは、獲得した遊技球を景品に交換すると、貸し玉のときは４円であったものが２円５０銭位で交換される。つまり大当たりで２５００個の遊技球が獲得された場合、実際には１万円になるが景品に交換すると６２５０円になってしまう。遊技を続行するとき差額の３７５０円を節約させると言ったことである。通常は、大当たりの出現で店員が「無制限開放」と言った札を掲げ同様の行為を行っていたが、遊技客が大当たりの出現も無いのに店員の隙をみて「無制限開放」の札を勝手に掲げるといった不正行為もしばしみられることもあった。したがって本発明はこの対策には有効な手だてとなりうる。


【手続補正５】
【補正対象書類名】明細書
【補正対象項目名】０００８
【補正方法】変更
【補正の内容】
【０００８】
大当たりの出現順位を登録する事で大当たり出現回数の記録ができるので、その回数を表示して遊技客の弾球遊技機の遊技をするための選定に役立つこととなる。
【手続補正６】
【補正対象書類名】明細書
【補正対象項目名】００１９
【補正方法】変更
【補正の内容】
【００１９】
本装置は、パチンコ機１６に外付けができて何れのメーカーのパチンコ機でも取り付けることが可能で、この装置を設置した遊技機設置島１０でパチンコ遊技中の遊技客には視角の位置内にトップランプ２２が設けられているので、当該遊技機設置島１０内に大当たりが出現したことを知ることができ、これにより自分もまもなく大当たりが出現するのではないかと希望がもてて遊技に熱中することができる。このことは遊技場にとっては売り上げの増加をもらたし経営上有利な展開となってくる。有利な展開とは、遊技機設置島１０に遊技客が多くても少なくても利益率が全体に何割と設定して営業しているので単位遊技客の何分の１が利益を得てそのほかは損をすると言った構成である。したがって損益は変わらず遊技客の多い分の増収となる。
なお、実施例ではトップランプ２２が大当たり表示器に該当し、走行ランプ制御装置６２が制御装置に該当する。
【手続補正書】
【提出日】平成16年3月24日(2004.3.24)
【手続補正１】
【補正対象書類名】明細書
【補正対象項目名】特許請求の範囲
【補正方法】変更
【補正の内容】
【特許請求の範囲】
【請求項１】
複数個のリールドラムと、これら各リールドラムのそれぞれの外周に設けられるリール帯と、これら各リール帯をそれぞれ背後から照らす前記各リールドラムの内部に設けられる光源とを備えて構成される遊技機の回転リールユニットにおいて、
前記各光源は、発光ダイオードから構成され、前記各リールドラムの回転を停止させる各ストップボタンの操作手順に関連づけられて点灯制御される
ことを特徴とする遊技機の回転リールユニット。
【請求項２】
前記発光ダイオードは白色発光ダイオードであることを特徴とする請求項１記載の遊技機の回転リールユニット。
【請求項３】
前記各発光ダイオードは、前記遊技機の一般遊技状態とこの一般遊技状態よりも配当が高くなる特別遊技状態とでは異なる発光形態で点灯制御されることを特徴とする請求項１または請求項２に記載した遊技機の回転リールユニット。
【手続補正２】
【補正対象書類名】明細書
【補正対象項目名】００２２
【補正方法】変更
【補正の内容】
【００２２】
【課題を解決するための手段】
本発明はこのような課題を解決するためになされたもので、複数個のリールドラムと、これら各リールドラムのそれぞれの外周に設けられるリール帯と、これら各リール帯をそれぞれ背後から照らす各リールドラムの内部に設けられる光源とを備えて構成される遊技機の回転リールユニットにおいて、各光源が、発光ダイオードから構成され、各リールドラムの回転を停止させる各ストップボタンの操作手順に関連づけられて点灯制御されることを特徴とするものである。


【手続補正３】
【補正対象書類名】明細書
【補正対象項目名】００２３
【補正方法】変更
【補正の内容】
【００２３】
このように各発光ダイオードが各ストップボタンの操作手順に関連づけられて点灯制御される構成とすることにより、例えば、各発光ダイオードの点灯方向に沿った方向に各ストップボタンを操作するように遊技者に操作方向を示唆したり、また、遊技者の各ストップボタンの操作方向に沿って各発光ダイオードが点灯制御されるようにしたりすることが出来る。
【手続補正４】
【補正対象書類名】明細書
【補正対象項目名】００２４
【補正方法】変更
【補正の内容】
【００２４】
従って、例えば遊技者の技量が問われるＣＴ遊技において、停止すべきリールの操作手順を遊技機が示唆し、入賞獲得の難易を遊技機が遊技者に教示することにより、ＣＴ遊技におけるメダル獲得枚数の調整は容易に行える。
【手続補正５】
【補正対象書類名】明細書
【補正対象項目名】００２６
【補正方法】変更
【補正の内容】
【００２６】
また、本発明による発光ダイオードは白色発光ダイオードであることを特徴とするものである。


【手続補正６】
【補正対象書類名】明細書
【補正対象項目名】００２７
【補正方法】変更
【補正の内容】
【００２７】
このように各光源が白色発光ダイオードから構成されることにより、各光源の寿命は白熱電球の寿命よりも飛躍的に長くなる。
【手続補正７】
【補正対象書類名】明細書
【補正対象項目名】００２８
【補正方法】変更
【補正の内容】
【００２８】
また、各光源は白色で発光するため、リール帯に描くシンボルの色は、光源の発光色を考慮することなく定めることが出来る。
【手続補正８】
【補正対象書類名】明細書
【補正対象項目名】００５４
【補正方法】変更
【補正の内容】
【００５４】
【発明の効果】
以上説明したように本発明によれば、各発光ダイオードが各ストップボタンの操作手順に関連づけられて点灯制御されることにより、遊技者のボタン操作に面白みが生じる。また、遊技者の技量が問われるＣＴ遊技の場合には、停止すべきリールの操作手順が示唆され、遊技媒体の獲得量が容易に調整されてＣＴ遊技の利益が十分に享受される。
【手続補正９】
【補正対象書類名】明細書
【補正対象項目名】００５５
【補正方法】変更
【補正の内容】
【００５５】
また、発光ダイオードは熱陰極管のようにノイズを発生することがないので、特別の雑音対策を施す必要もなく、バックライトを構成することが可能である。
【手続補正１０】
【補正対象書類名】明細書
【補正対象項目名】００５６
【補正方法】変更
【補正の内容】
【００５６】
また、回転リールユニットのバックライトが白色発光ダイオードから構成されることにより、バックライトの寿命は従来の白熱電球の寿命よりも飛躍的に長くなり、回転リールユニットの保守は容易になる。
【手続補正１１】
【補正対象書類名】明細書
【補正対象項目名】００５７
【補正方法】変更
【補正の内容】
【００５７】
また、バックライトは白色で発光するため、リール帯に描くシンボルの色は光源の発光色を考慮することなく定められ、リール帯のデザイン設計は容易になる。
【手続補正書】
【提出日】平成17年2月24日(2005.2.24)
【手続補正１】
【補正対象書類名】明細書
【補正対象項目名】請求項１
【補正方法】変更
【補正の内容】
【請求項１】
駆動可能なロール（１，２）とその伝動装置（３，４）の間に設けられたギヤカップリング付きスピンドル（５，６）を具備し、このギヤカップリング付きスピンドルがその循環潤滑のための装置を備え、ギヤカップリングがそれぞれ、油供給部（７）に接続可能な溝付きの油供給リング（８，９）を備え、油がこの油供給リングからスピンドルシャフト（１２，１３）の中央通路（１０，１１）を経てギヤカップリング（２７，２８）に供給可能であり、更に、油排出のために役立ち、かつスピンドルシャフト（１２，１３）から離れてこのスピンドルシャフトを取り囲む定置されたケーシング（１４）を具備し、更に、送出側が油供給リング（８，９）に接続可能であり、かつ油冷却器（１５）と協働可能である油供給ポンプ（１６）を具備している、圧延機駆動装置において、各々のギヤカップリング付きスピンドル（５，６）が半径方向に間隔をおいて管（１７，１８）によって取り囲まれて、円環状の油戻し通路（１９，２０）を形成し、管（１７，１８）の伝動装置側の端部が開放し、油流出のためにそこに設けられた油受けケーシング（１４）内に達し、油戻し通路（１９，２０）がロールスタンド側の内歯付きスピンドルスリーブ（２１，２２）を介して中央通路（１０，１１）に油循環的に接続され、管（１７，１８）の外側がロールスタンド側で、管の上に配置された玉継手（２５，２６）を介してスピンドルスリーブ（２１，２２）に対して枢着案内およびシールされていることを特徴とする圧延機駆動装置。
【手続補正２】
【補正対象書類名】明細書
【補正対象項目名】０００１
【補正方法】変更
【補正の内容】
【０００１】
【発明の属する技術分野】
本発明は、駆動可能なロールとその伝動装置の間に設けられたギヤカップリング付きスピンドルを具備し、このギヤカップリング付きスピンドルがその循環潤滑のための装置を備え、ギヤカップリングがそれぞれ、油供給部に接続可能な溝付きの油供給リングを備え、油がこの油供給リングからスピンドルシャフトの中央通路を経てギヤカップリングに供給可能であり、更に、油排出のために役立ち、かつスピンドルシャフトから離れてこのスピンドルシャフトを取り囲む定置されたケーシングを具備し、更に、送出側が油供給リングに接続可能であり、かつ油冷却器と協働可能である油供給ポンプを具備している、圧延機駆動装置に関する。
【手続補正書】
【提出日】平成16年5月27日(2004.5.27)
【手続補正１】
【補正対象書類名】明細書
【補正対象項目名】特許請求の範囲
【補正方法】変更
【補正の内容】
【特許請求の範囲】
【請求項１】
径大の回転子（３０）とその軸方向の一端面から突出したプローブ（３２）とを備えた接合装置（３）を用い、異種金属からなる２個の導電性部材（１）（２）どうしを接合位置に配置するとともに、接合部またはその近傍に回転する前記プローブ（３２）を挿入し、プローブ（３２）との接触部を摩擦熱にて軟化させ攪拌させることにより、２個の導電性部材（１）（２）を接合することを特徴とする異種金属が接合された導電性接合体の製造方法。
【請求項２】
プローブ（３２）の挿入方向と重ね合せ面（４）が交差するように２個の導電性部材（１）（２）どうしを重ね合せて接合することを特徴とする請求項１に記載の異種金属が接合された導電性接合体の製造方法。
【請求項３】
前記重ね合わせは、断面Ｌ形の段部と逆Ｌ形の段部とを係合させた重ね合わせである請求項２に記載の異種金属が接合された導電性接合体の製造方法。
【請求項４】
プローブ（３）を２個の導電性部材（１）（２）のうち軟質側の導電性部材（１）側から挿入することを特徴とする請求項２又は３に記載の異種金属が接合された導電性接合体の製造方法。
【請求項５】
請求項１から４のいずれか一項に記載の異種金属が接合された導電性接合体の製造方法により接合された接合体。
【手続補正書】
【提出日】平成17年4月7日(2005.4.7)
【手続補正１】
【補正対象書類名】明細書
【補正対象項目名】特許請求の範囲
【補正方法】変更
【補正の内容】
【特許請求の範囲】
【請求項１】
クランプ力を発生させるねじ付きスピンドルにより連接された二つの端部ジョーと、前記二つの端部ジョーの間の中間の中央ジョーとの間にいくつかの加工片を同時にクランプするためのクランプ装置であって、前記スピンドルが中央ジョーに対して長さ方向に摺動可能であるクランプ装置において、螺旋ばねがスピンドルの軸の周りに位置しかつスピンドルが作用されている装置のその端部に位置している端部ジョーの方向にスピンドルを中央ジョーに関して付勢するように配置されていることを特徴とするクランプ装置。
【請求項２】
ばねと中央ジョーの間の力の伝達が、スピンドルと同軸のかつスピンドルに対してその長手方向に摺動可能であるスリーブを介して起こることを特徴とする請求項１のクランプ装置。
【請求項３】
スリーブと中央ジョーの間の軸方向力の伝達が、スピンドルの軸線に関して点対称に配置された二つの同様な機械的組立体を介して起こることを特徴とする請求項２のクランプ装置。
【請求項４】
スリーブと中央ジョーの間の軸方向力が少なくとも一つの弾性的に釈放可能なラチェット装置を介して伝達されることを特徴とする請求項２または３のクランプ装置。
【請求項５】
一つまたは複数のラチェット装置がそれぞれ軸方向に移動可能なスライドを有し、前記スライドは、スリーブの外面上の円形溝に係合するドグおよび第一の溝付き面を有し、前記第一の溝付き面は中央ジョーに関して軸方向に固定された第二の溝付き面と係合していることにより、両方の溝付き面が一緒にばね負荷されたラチェットを形成することを特徴とする請求項４のクランプ装置。
【請求項６】
一つまたは複数のラチェット装置を無効にすることができることを特徴とする請求項４または５のクランプ装置。
【請求項７】
第二の溝付き面が、中央ジョーに関して固定された本体の穿孔に摺動可能に装着されたピストンの底部に形成され、ピストンは予張力を加えたばねにより第一の溝付き面に向かって付勢されかつ横方向通路を有し、この横方向通路には、偏心輪の回転により、二つの溝付き面を互いに離脱させるのに充分な量だけ予張力をかけたばねの力に抗してピストンを変位させるように偏心輪が収容されていることを特徴とする請求項６のクランプ装置。
【請求項８】
中央ジョーが、主体に関して固定されたままであるようにクランプ装置の主体に取り付けられた取り外し可能なジョーであることを特徴とする請求項１から７までのうちのいずれか一つに記載のクランプ装置。
【請求項９】
螺旋ばねの寸法は、螺旋ばねが端部ジョーに少なくとも500 N に等しい最大の力を及ぼすことができるように選択されることを特徴とする請求項１から８までのうちのいずれか一つに記載のクランプ装置。
【手続補正書】
【提出日】平成16年5月25日(2004.5.25)
【手続補正１】
【補正対象書類名】明細書
【補正対象項目名】００１５
【補正方法】変更
【補正の内容】
【００１５】
洗浄バルブ２３には電気信号によって開閉する電磁弁を用いる。また、洗浄ノズル２２は搬送路Ｃの下方に設けられ、洗液を上方の搬送路Ｃ内を搬送される敷物に向かって吹き付けるように固定される。更に、洗浄ノズル２２は敷物の幅方向の直線上に等間隔で３か所設けられている。また、洗浄バルブ２３は、水を供給するための給水管６２と洗剤を供給する洗剤供給管６４とが接続される。この洗剤供給管６４は図１に示すように、噴射ポンプ（図示せず）及び洗剤タンク６３が接続される。尚、洗剤の供給方法として噴射ポンプの代わりに、イジェクター等の任意のポンプを用いることができる。
図５に示すように、洗浄ブラシローラ２１は搬送路Ｃの下方で、且つ、洗浄ノズル２２の下流に設けられ、ポリウレタンフォームを被覆した鉄製ロールとした。また、洗剤タンク６３内にはオレンジを元に製造され、生分解性に優れた液状洗剤（日華化学社製、「シトリクリーン」）を収容した。
【手続補正書】
【提出日】平成16年6月2日(2004.6.2)
【手続補正１】
【補正対象書類名】明細書
【補正対象項目名】特許請求の範囲
【補正方法】変更
【補正の内容】
【特許請求の範囲】
【請求項１】
蒸気発生槽と、該蒸気発生槽に対して凝縮器を介して接続する減圧機構と、前記蒸気発生槽で発生した洗浄剤蒸気が蒸気供給経路を介して供給される洗浄槽と、該洗浄槽に接続して該洗浄槽内に溜まった洗浄液を排出するための洗浄液排出経路と、前記洗浄槽内を真空引き可能な真空引き機構と、前記蒸気発生槽が前記洗浄槽に前記蒸気供給経路を介して接続した状態と前記凝縮器の方に接続した状態との切り換えを行う切換機構とを有することを特徴とする蒸気洗浄装置。
【請求項２】
請求項１において、前記洗浄液排出経路には、冷却器を介して液送機構が接続し、
前記真空引き機構は、前記冷却器を介さずに前記洗浄槽内を真空引き可能であることを特徴とする蒸気洗浄装置。
【請求項３】
請求項１において、前記洗浄液排出経路には、ドレン液受器を介して液送機構が接続していることを特徴とする蒸気洗浄装置。
【請求項４】
請求項１ないし３のいずれかにおいて、前記切換機構は、前記蒸気供給経路の途中位置で、前記蒸気発生槽が前記洗浄槽に接続した状態と前記凝縮器の方に接続した状態との切り換えを行い、前記洗浄槽が前記凝縮器の方に接続する状態への切り換えが不能な三方コックであることを特徴とする蒸気洗浄装置。
【請求項５】
請求項１ないし４のいずれかにおいて、前記洗浄剤は、シリコン系洗浄剤、炭化水素系洗浄剤、およびアルコール系洗浄剤からなる群から選ばれた１種または２種以上の沸点が１００℃から２００℃までの範囲にある高沸点溶剤であることを特徴とする蒸気洗浄装置。
【手続補正２】
【補正対象書類名】明細書
【補正対象項目名】０００６
【補正方法】変更
【補正の内容】
【０００６】
【課題を解決するための手段】
上記課題を解決するために、本発明に係る蒸気洗浄装置では、蒸気発生槽と、該蒸気発生槽に対して凝縮器を介して接続する減圧機構と、前記蒸気発生槽で発生した洗浄剤蒸気が蒸気供給経路を介して供給される洗浄槽と、該洗浄槽に接続して該洗浄槽内に溜まった洗浄液を排出するための洗浄液排出経路と、前記洗浄槽内を真空引き可能な真空引き機構と、前記蒸気発生槽が前記洗浄槽に前記蒸気供給経路を介して接続した状態と前記凝縮器の方に接続した状態との切り換えを行う切換機構とを有することを特徴とする。本発明では、洗浄槽内に溜まった洗浄液を排出するための洗浄液排出経路が構成されているため、蒸気洗浄が終わった後に、洗浄槽内で凝縮した洗浄液を液状のままで排出することができる。それ故、本発明によれば、蒸気洗浄を行った洗浄槽内でのワークに対する真空乾燥時間を短時間で行うことができる。
【手続補正３】
【補正対象書類名】明細書
【補正対象項目名】０００７
【補正方法】変更
【補正の内容】
【０００７】
本発明において、前記洗浄液排出経路には、冷却器を介して液送機構が接続し、前記真空引き機構は、前記冷却器を介さずに前記洗浄槽内を真空引き可能であることが好ましい。このように構成すると、蒸気洗浄が終わった後に、洗浄槽内で凝縮した洗浄液を液送機構により洗浄液排出経路を介して液状のままで排出することができる。また、洗浄槽に対しては冷却器を介さずに真空引き可能な真空引き機構が構成されているため、冷却器に洗浄液が溜まっていても、真空引き機構は洗浄槽内を直接、真空引きするので、蒸気洗浄を行った洗浄槽内でワークの乾燥を短時間で行うことができる。また、本発明では、前記洗浄液排出経路には、ドレン液受器を介して液送機構が接続していることが好ましい。
【手続補正書】
【提出日】平成16年5月26日(2004.5.26)
【手続補正１】
【補正対象書類名】明細書
【補正対象項目名】０００９
【補正方法】変更
【補正の内容】
【０００９】
図７に示した構成は、分配室５内に２枚以上の多孔板１６、１７を設けて、各板の多孔を通って落下する原水の細流を平均化して隔板２に散布し、伝熱管４に均等に流入させようとするものである。
【手続補正２】
【補正対象書類名】明細書
【補正対象項目名】００２３
【補正方法】変更
【補正の内容】
【００２３】
第１熱交換器２８の作用は、図１で説明した熱交換器と同様である。即ち、加熱用蒸気は蒸気管２３を通って加熱用蒸気供給口１０から缶胴１に入り、伝熱管４の周囲を通って内筒６の下部の端板６ｂに開口する排出管８から取出され、ヒータ２１を経て、管２６から排出される。最初の原水管２０を通る原水は、ヒータ２１を通って加熱され、頂板３の原水供給口からオリフィス２２を通り分配室５に拡散される。この原水は伝熱管４の内壁に沿って流下する間に蒸発し、内筒６の下方に噴出し缶胴１に沿って上昇して発生蒸気取出口１１から蒸気管２４を経て、第２熱交換器２９の加熱用蒸気供給口１０′に入り、伝熱管４を流下する原水を加熱する。第１熱交換器２８において伝熱管４を流下する間に蒸発し切れなかった原水は、排水口１２と第２熱交換器２９の原水供給口９とを接続する第２の原水管２５を通り、第１熱交換器２８と同様にオリフィス２２を通って拡散しつつ第２熱交換器２９の分配室５′に入る。第２熱交換器２９で発生した蒸気は第２の蒸気管２４′により、第３熱交換器３０の加熱用蒸気供給口１０″に入る。第２熱交換器２９に入り伝熱管４を加熱した第１熱交換器２８の発生蒸気は凝縮して排出管８′から取出される。
【手続補正３】
【補正対象書類名】図面
【補正対象項目名】図３
【補正方法】変更
【補正の内容】
【図３】
1998328648.tif 000001
【手続補正４】
【補正対象書類名】図面
【補正対象項目名】図４
【補正方法】変更
【補正の内容】
【図４】
1998328648.tif 000002
【手続補正書】
【提出日】平成17年2月10日(2005.2.10)
【手続補正１】
【補正対象書類名】明細書
【補正対象項目名】特許請求の範囲
【補正方法】変更
【補正の内容】
【特許請求の範囲】
【請求項１】
電解中の重金属の銀の浄化効果を用いるように適用された液体浄化装置において、導入口および排出口が間隔がおかれて形成され、それにより液体が該導入口から該排出口までチャンバを通過することのできるチャンバと、少なくとも１つの電解ユニットであって、各々が、前記液体の流路内で前記チャンバ内に取り付けられた少なくとも２つの間隔のおかれた銀電極を備え、該電極の少なくとも１つが陽極であり、該電極の少なくとも１つが陰極である電解ユニットと、前記電極の作動を制御する電気回路手段であって、該電極に、直流電流に重ねられたパルス電流を供給する第１のタイミング手段および前記陽極と陰極の極性を周期的に反転して、正に荷電した銀粒子が前記陰極から前記陽極に付着し、極性の反転の際に該付着した正に荷電した銀粒子が反発して銀コロイド溶液を生成する周期的プロセスを提供する第２のタイミング手段を備えている電気回路手段とを有することを特徴とする液体浄化装置。
【請求項２】
前記重ねられたパルス電流が９−11ｋＨｚの間の周波数にあり、前記極性の反転が１から４秒毎に行われることを特徴とする請求項１記載の液体浄化装置。
【請求項３】
前記重ねられたパルスが方形波パルスであることを特徴とする請求項１または２記載の液体浄化装置。
【請求項４】
前記電解ユニットの各々が、陽極の対向する側に等距離で１組の陰極を有する１つの陽極を備え、該陽極および陰極が前記液体の流路に沿って間隔がおかれていることを特徴とする請求項１から３いずれか１項記載の液体浄化装置。
【請求項５】
前記重ねられたパルス電流が約10ｋＨｚの周波数にあり、前記極性の反転が１から２秒毎に行われることを特徴とする請求項１または２記載の液体浄化装置。
【請求項６】
前記チャンバ内に取り付けられているが前記電極からはオフセットの状態にある前記電気回路手段を活性化させる、前記導入口内の液体の流動に応答するスイッチを備えていることを特徴とする請求項４記載の液体浄化装置。
【請求項７】
前記スイッチが前記導入口内の弁上の磁気部材により活性化されるリード型スイッチであることを特徴とする請求項６記載の液体浄化装置。
【請求項８】
前記電極およびスイッチが回転可能な部材に取り付けられ、該スイッチと前記磁気部材との間の距離を変更できることを特徴とする請求項７記載の液体浄化装置。
【請求項９】
前記弁が圧力応答弁であることを特徴とする請求項７または８記載の液体浄化装置。
【手続補正書】
【提出日】平成16年12月17日(2004.12.17)
【手続補正１】
【補正対象書類名】明細書
【補正対象項目名】特許請求の範囲
【補正方法】変更
【補正の内容】
【特許請求の範囲】
【請求項１】
ウォータクロゼットの便器の水にアルカリを加えることによってバッグを処分できる材料の壁（２及び４）を有するウォータクロゼットで処分可能なバッグ（１）において、前記壁（２及び４）が、ほぼ全体がアルカリには溶解する防水材料から成る第１層（１２）、この第１層（１２）の一方の側（１４）に接着され且つバッグの内側に存在する防水材料から成る第２のより薄い層（１８）、及びこの第２の層（１８）から離間した側（２２）上の第１の層（１２）に接着された第３の層（２０）を含む材料からほぼ形成され、この第３の層（２０）は、バッグ（１）の外側にあって湿気を帯びている場合には崩壊するような材料であるのでバッグがウォータクロゼットの便器の水にアルカリを加えることによりウォータクロゼット中で処方することができ、これにより第３の層（２０）を崩壊させ、アルカリが第１層（１２）を崩壊するか或いは散乱することができ、第２の層（１８）の厚さは、第１の層（１２）の崩壊或いは散乱後にはバッグ１の流れを妨げるのには不十分であるが第３（２０）の層は、物品の臭気バリアの主要部分を形成し及びこの材料を介して受諾可能なレベルに臭気の伝達を抑制するには十分であることを特徴とする、ウォータクロゼットで処分可能なバッグ。
【請求項２】
第１層（１２）がカルボキシル化アクリルポリマーであることを特徴とする請求項１に記載のバッグ。
【請求項３】
第１層（１２）の厚さがほぼ１００ミクロンであることを特徴とする請求項１或いは２に記載のバッグ。
【請求項４】
第２層（１８）が塩化ポリビニリデンであることを特徴とする請求項１乃至３のいずれか１項に記載のバッグ。
【請求項５】
第２層（１８）の厚さがほぼ２乃至３ミクロンであることを特徴とする請求項１乃至４のいずれか１項に記載のバッグ。
【請求項６】
完全な状態の第３層（２０）は中身の重みから生じるバッグ（１）の機械的な歪みに抵抗することを特徴とする請求項１乃至５のいずれか１項に記載のバッグ。
【請求項７】
第３層（２０）がセルロース繊維を含むことを特徴とする請求項１乃至６のいずれか１項に記載のバッグ。
【請求項８】
第３層（２０）がアルカリ水溶液により湿った場合にのみ崩壊する材料であることを特徴とする請求項１乃至７のいずれか１項に記載のバッグ。
【請求項９】
第３層（２２）が水性ポリアクリレートのバインダを含むことを特徴とする請求項１乃至８のいずれか１項に記載のバッグ。
【請求項１０】
第３層（２０）の厚さが約３０ｇｓｍに等しいことを特徴とする請求項１乃至９のいずれか１項に記載のバッグ。
【手続補正書】
【提出日】平成16年4月2日(2004.4.2)
【手続補正１】
【補正対象書類名】明細書
【補正対象項目名】０００６
【補正方法】変更
【補正の内容】
【０００６】
すなわち、従来において、表示画面上のキャラクタに「必殺技」を繰り出す動作を行わせるためには、その動作に対応して予め決められているジョイティック６０と押しボタンスイッチ６１ａ〜６１ｆとの複合的な操作手順をプレイヤが理解し、覚えておく必要がある。したがって、上記ビデオゲーム装置のゲーム内容を熟知しているプレイヤにとっては何ら不具合はないものの、上記ゲームを初めて体験するプレイヤや、日頃この種のゲームに接する機会の少ない中高年のプレイヤは、どのようにすれば「必殺技」を繰り出すことができるのかが容易に理解できず、ゲームの面白さが半減する場合があった。また、操作スイッチの複合的な操作手順を知っている場合であっても、手先が器用でないたとえば幼少のプレイヤにとっては、複数の操作スイッチを一定の手順でタイミングよく操作することは難しく、やはりゲームの面白さが半減してしまう場合があった。従来では、ゲームの内容に多くのバリエーションをもたせてゲーム内容をより面白くするために、ゲームに登場するキャラクタの数を多くし、またそのキャラクタごとに個性を持たせて「必殺技」の種類を多彩にし、しかもその「必殺技」を繰り出すための操作スイッチの操作手順を種々相違させているのが一般的である。したがって、従来では、多数のキャラクタの個々の「必殺技」の内容とその「必殺技」を繰り出すための操作手順とを覚えることは一層容易ではなく、ゲームに不慣れなプレイヤにとってはゲームを楽しむことがますます難しいものとなっていた。


【手続補正２】
【補正対象書類名】明細書
【補正対象項目名】００１０
【補正方法】変更
【補正の内容】
【００１０】
本願発明においては、ビデオゲーム装置のゲームモードを、通常操作モードと簡易操作モードとに選択可能であり、通常操作モードを選択したときには、操作スイッチを複数組み合わせて所定の手順で操作することにより、ディスプレイの表示画面に特定の変化を生じさせることができる。これに対し、ゲームモードを簡易操作モードにした場合には、複数の操作スイッチのいずれかを所定の状態に単独で操作するだけで、ディスプレイの表示画面に上記通常操作モード時において生じさせることができる特定の変化と同一の変化を生じさせることができる。すなわち、本願発明では、ディスプレイの表示画面に特定の変化を生じさせるために必要とされる複数の操作スイッチの複合的な操作方法を知らないプレイヤであっても、ゲームモードを簡易操作モードに選択すれば、１つの操作スイッチを単独で操作するという簡単な操作によって、ディスプレイの表示画面に所定の特定の変化を生じさせることができる。したがって、ゲームに不慣れな中高年のプレイヤや、手先が器用でない幼少のプレーヤなどにとっても、ディスプレイの表示画面に特定の変化を生じさせることが簡単に行え、熟練したプレイヤと略同等にゲームを楽しむことができることとなる。むろん、ゲームの熟練者は、複数の操作スイッチを複合的に操作することによってディスプレイの表示画面に特定の変化を生じさせることができるので、熟練プレーヤにとっては、従来どうりにゲームを楽しむことができる。


【手続補正３】
【補正対象書類名】明細書
【補正対象項目名】００２６
【補正方法】変更
【補正の内容】
【００２６】
次いで、ゲームモードを選択するためのスイッチ操作がなされ（Ｓ４：ＹＥＳ）、通常操作モードが選択されると（Ｓ５：ＹＥＳ）、その後ＣＰＵ１は、通常操作モードに対応したデータ処理を実行し、所定のゲームを進行させていく（Ｓ６，Ｓ７）。通常操作モードでゲームを行う場合において、たとえば画面表示されている所定のキャラクタＡが弾Ｃを他のキャラクタＢに向けて放つ「必殺技」を繰り出すためには、ジョイスティック６０と押しボタンスイッチ６１ａ〜６１ｆとを複合的に組み合わせて操作する必要がある。具体的には、図５に示すフローチャートのように、ＣＰＵ１は、ジョイスティック６０のスイッチがＮ５の方向（図３参照）に入力された後に（Ｓ１０：ＹＥＳ）、このジョイステック６０が所定時間ｍ秒内にＮ４およびＮ３のそれぞれの方向に順次入力されるとともに、押しボタンスイッチ６１ａ〜６１ｃのいずれかが上記操作時期の前後の所定時間ｍ秒内に操作された場合に限り（Ｓ１１：ＹＥＳ，Ｓ１２：ＹＥＳ，Ｓ１３：ＹＥＳ）、上記「必殺技」を発生させるための画面処理を実行する（Ｓ１４）。したがって、通常操作モード下において、「必殺技」を繰り出すためには、プレイヤに比較的高度なテクニックが要求されることとなり、熟練ゲームプレイヤにとっては面白いものとなる。


【手続補正４】
【補正対象書類名】明細書
【補正対象項目名】００２７
【補正方法】変更
【補正の内容】
【００２７】
一方、上記とは異なり、ゲームモードとして簡易操作モードが選択された場合には（Ｓ５：ＮＯ）、ＣＰＵ１は、その後は簡易操作モードに対応したデータ処理を実行し、所定のゲームを進行させていく（Ｓ８，Ｓ９）。簡易操作モードでゲームを行う場合には、押しボタンスイッチ６１ａ〜６１ｆのいずれかを連続して押圧操作するだけで「必殺技」を繰り出させることができる。具体的には、図６に示すフローチャートのように、ＣＰＵ１は、１つの押しボタンスイッチ６１ａがプレイヤによって操作され（Ｓ２０：ＹＥＳ）、その操作が所定時間Ｔ秒内にｎ回以上繰り返して行われると（Ｓ２１：ＹＥＳ）、「必殺技」を発生させる画面処理を実行する（Ｓ２２）。すなわち、１つの押しボタンスイッチ６１ａを連打するだけで、所定のキャラクタＡが弾Ｃを他のキャラクタＢに向けて放つ「必殺技」が繰り出されることとなる。簡易操作モード下では、他の押しボタンスイッチ６１ｂ〜６１ｆが上記と同様に連打されると、上記とは異なる種類の「必殺技」が繰り出されるように構成することもできる。したがって、プレイヤは、通常操作モードにおいて「必殺技」を繰り出すためのジョイスティック６０と押しボタンスイッチ６１ａ〜６１ｆの複雑な組合せ操作を予め知っておく必要はなくなり、初めてこのゲームを行うプレイヤであっても、そのゲームを充分に堪能することができる。
【手続補正書】
【提出日】平成16年5月27日(2004.5.27)
【手続補正１】
【補正対象書類名】明細書
【補正対象項目名】特許請求の範囲
【補正方法】変更
【補正の内容】
【特許請求の範囲】
【請求項１】
画像を生成し出力するゲーム装置であって、
時間帯と該時間帯に表示する画像を指定する指定情報とをユーザが設定するための処理を行う設定手段と、
前記設定手段による設定を記憶する記憶手段と、
現在時刻を求めるためのタイマと、
前記タイマにより得られる現在時刻に基づき該現在時刻が属する時間帯を求め、該時間帯に設定された前記指定情報が指定する画像の生成を指示する指示手段と、
指示された画像を生成する画像生成手段とを含むことを特徴とするゲーム装置。
【請求項２】
画像を生成し出力するゲーム装置であって、
時間帯と該時間帯に表示する画像を指定する指定情報の設定を記憶する記憶手段と、
現在時刻を求めるためのタイマと、
前記タイマの任意の時間への時間合わせを禁止する禁止手段と、
前記タイマにより得られる現在時刻に基づき該現在時刻が属する時間帯を求め、該時間帯に設定された前記指定情報が指定する画像の生成を指示する指示手段と、
指示された画像を生成する画像生成手段とを含むことを特徴とするゲーム装置。
【請求項３】
請求項２において、
ホスト装置と通信を行うための通信手段を更に含み、
前記禁止手段は、前記タイマへの時間合わせデータの設定を、前記ホスト装置との前記通信による設定に制限することで、前記タイマの任意の時間への時間合わせを禁止することを特徴とするゲーム装置。
【請求項４】
請求項２において、
前記タイマの時間合わせデータを記憶する、プログラムによる書き換えが不能なメモリを含み、
前記禁止手段は、前記タイマへの時間合わせデータの設定を、プログラムによる書き換えが不能な前記メモリからのデータ読み込みによる設定に制限することで、前記タイマの任意の時間への時間合わせを禁止することを特徴とするゲーム装置。
【請求項５】
請求項１乃至４のいずれかにおいて、
前記画像生成手段は、第１の年齢層に対応する第１の時間帯においては第１の年齢層用の画像を生成し、第２の年齢層に対応する第２の時間帯においては第２の年齢層用の画像を生成し、・・・・・・・第Ｎの年齢層に対応する第Ｎの時間帯においては第Ｎの年齢層用の画像を生成することを特徴とするゲーム装置。
【請求項６】
請求項１乃至５において、
前記画像生成手段は、画像生成に使用するデータ及び画像生成を行うプログラムの少なくとも一方を前記指定情報に基づき切り替えることで、各時間帯に対応する画像を生成することを特徴とするゲーム装置。
【請求項７】
ゲーム装置に画像を生成させるためのコンピュータ読み取り可能な情報記憶媒体であって、
時間帯と該時間帯に表示する画像を指定する指定情報とをユーザが設定するための処理を行う設定手段と、
前記設定手段による設定を記憶する記憶手段と、
タイマにより得られる現在時刻に基づき該現在時刻が属する時間帯を求め、該時間帯に設定された前記指定情報が指定する画像の生成を指示する指示手段と、
指示された画像を生成する画像生成手段として、
コンピュータを機能させるプログラムを記憶したことを特徴とする情報記憶媒体。
【請求項８】
ゲーム装置に画像を生成させるためのコンピュータ読み取り可能な情報記憶媒体であって、
時間帯と該時間帯に表示する画像を指定する指定情報の設定を記憶する記憶手段と、
現在時刻を求めるためのタイマの任意の時間への時間合わせを禁止する禁止手段と、
前記タイマにより得られる現在時刻に基づき該現在時刻が属する時間帯を求め、該時間帯に設定された前記指定情報が指定する画像の生成を指示する指示手段と、
指示された画像を生成する画像生成手段として、
コンピュータを機能させるプログラムを記憶したことを特徴とする情報記憶媒体。
【手続補正書】
【提出日】平成17年3月3日(2005.3.3)
【手続補正１】
【補正対象書類名】明細書
【補正対象項目名】特許請求の範囲
【補正方法】変更
【補正の内容】
【特許請求の範囲】
【請求項１】
患部を治療するために、治療用超音波を患部に集束する超音波治療装置において、
治療用超音波発生源と超音波プローブとを有しているアプリケータと、
前記アプリケータを移動する機構と、
前記治療用超音波発生源から治療用超音波を発生させるために前記治療用超音波発生源を駆動するドライバと、
前記超音波プローブを駆動して前記治療用超音波の焦点付近を超音波でスキャンし、得られたエコーに基づいて断層像を生成し、表示する診断装置と、
前記患部を含むように治療領域を設定するためのコンソールと、
治療シュミレーションを実行するシステムコントローラとを具備し、
前記治療シュミレーション中には、前記機構は前記治療領域に従ってデザインされた前記焦点の移動コースに従って前記アプリケータを移動し、前記ドライバは前記治療用超音波を発生させないために前記治療用超音波発生源を駆動せず、前記診断装置は前記超音波プローブを介して前記焦点付近をスキャンして、前記断層像と一緒に前記焦点を表す焦点マーカを表示することを特徴とする超音波治療装置。
【請求項２】
前記診断装置は、前記治療シュミレーション中に得られた複数の断層像の中から、前記治療領域の辺縁付近でのスキャンにより得られた少なくとも１枚の断層像をピックアップして、１画面に同時表示することが可能に設けられていることを特徴とする請求項１記載の超音波治療装置。
【請求項３】
前記システムコントローラは、簡易タイプシュミレーションを実行することが可能に設けられていて、この簡易タイプシュミレーション中には、前記ドライバは前記治療用超音波を発生させないために前記治療用超音波発生源を駆動せず、前記診断装置は前記超音波プローブを軸回転、スイング、平行移動の少なくとも１つを行って、複数枚の断層像を生成し、前記断層像を表示することを特徴とする請求項１記載の超音波治療装置。
【請求項４】
前記診断装置は、前記簡易タイプシュミレーション中に得られた複数枚の断層像の中から、前記治療領域の辺縁付近でのスキャンにより得られた少なくとも１枚の断層像をピックアップして、１画面に同時表示することが可能に設けられていることを特徴とする請求項３記載の超音波治療装置。
【請求項５】
前記診断装置は、前記簡易タイプシュミレーション中に得られた複数の断層像の中から、スキャン面が直交する２枚の断層像をピックアップして、１画面に同時表示することが可能に設けられていることを特徴とする請求項３記載の超音波治療装置。
【請求項６】
前記診断装置は、前記簡易タイプシュミレーション中に得られた複数の断層像の中から、スキャン面が所定角度ずつずれた複数枚の断層像をピックアップして、１画面に同時表示することが可能に設けられていることを特徴とする請求項３記載の超音波治療装置。
【請求項７】
患部を治療するために、治療用超音波を患部に集束する超音波治療装置において、
治療用超音波発生手段と、
前記治療用超音波の焦点付近に関する断層組織を映像化するための手段と、
前記患部を含むように治療領域を設定するための手段と、
治療シュミレーションを実行する手段とを具備し、
前記治療シュミレーション中には、前記治療用超音波発生源から前記治療用超音波は発生されず、前記断層組織は映像化され、この映像化される断層面は前記治療領域に対応する前記治療用超音波の焦点の移動コースに従って移動されることを特徴とする超音波治療装置。
【請求項８】
前記イメージ手段は、前記治療シュミレーション中に得られた複数の断層像の中から、前記治療領域の辺縁付近でのスキャンにより得られた少なくとも１枚の断層像をピックアップして、１画面に同時表示することが可能に設けられていることを特徴とする請求項７記載の超音波治療装置。
【請求項９】
前記イメージ手段は、前記治療シュミレーション中に得られた複数の断層像の中から、スキャン面が直交する２枚の断層像をピックアップして、１画面に同時表示することが可能に設けられていることを特徴とする請求項７記載の超音波治療装置。
【請求項１０】
前記イメージ手段は、前記治療シュミレーション中に得られた複数の断層像の中から、スキャン面が所定角度ずつずれた複数枚の断層像をピックアップして、１画面に同時表示することが可能に設けられていることを特徴とする請求項７記載の超音波治療装置。
【請求項１１】
患部を治療するために、治療用超音波を患部に集束する超音波治療装置において、
治療用超音波発生手段と、
前記治療用超音波の焦点付近に関する断層組織を映像化するための手段と、
前記患部を含むように治療領域を設定するための手段と、
治療シュミレーションを実行する手段とを具備し、
前記治療シュミレーション中には、前記治療用超音波発生源から前記治療用超音波は発生されず、前記超音波プローブの軸回転、スイング、平行移動の少なくとも１つの動きにより複数枚の断層像が生成され、前記断層像は表示され、前記焦点を表すマーカと前記治療領域を表すマーカとは前記断層像を一緒に表示されることを特徴とする超音波治療装置。
【請求項１２】
治療用超音波を患部に集束して患部を治療する前に治療計画を立てる方法において、
前記患部を含むように治療領域を設定する第１ステップと、
前記第１ステップの後に、治療をシュミレートする第２ステップと、
前記シュミレートの結果に従って前記治療領域を再設定する第３ステップとを具備し、
前記第２ステップでは、前記治療用超音波は発生されず、前記断層組織は映像化され、映像化される断層面は前記設定された治療領域に基づいてデザインされた前記焦点の移動コースに従って移動されることを特徴とする治療計画立案方法。
【手続補正書】
【提出日】平成16年5月28日(2004.5.28)
【手続補正１】
【補正対象書類名】明細書
【補正対象項目名】発明の名称
【補正方法】変更
【補正の内容】
【発明の名称】核磁気共鳴撮影装置
【手続補正２】
【補正対象書類名】明細書
【補正対象項目名】特許請求の範囲
【補正方法】変更
【補正の内容】
【特許請求の範囲】
【請求項１】
検知する磁化を含む被検体に高周波パルスを照射する手段、傾斜磁場を印加する手段、前記被検体から発生するエコー信号を検出する手段、前記エコー信号を用いて画像再構成する手段、並びに前記高周波パルス照射手段、傾斜磁場印加手段及び画像再構成手段を制御する制御手段を備えた核磁気共鳴撮影装置において、
前記制御手段は、前記被検体に高周波パルスを照射し１以上のスライスを選択して反転縦磁化を発生する第１の反転縦磁化発生工程及びそれに続いて高周波パルスの印加と１以上の信号取得を含む信号取得工程を複数回連続して実行する第１の撮影工程と、前記被検体に高周波パルスを照射しスライスを選択することなく反転縦磁化を発生する第２の反転縦磁化発生工程とそれに続いて高周波パルスの印加と１以上の信号取得を含む信号取得工程を複数回連続して実行する第２の撮影工程とを実行し、
前記第１の撮影工程で得られた第１の画像と、第２の撮影工程で得られた第２の画像との差分画像を求め表示させることを特徴とする核磁気共鳴撮影装置。
【請求項２】
請求項１記載の核磁気共鳴撮影装置であって、前記制御手段は、前記第１及び第２の撮影工程における複数回の信号取得工程をそれぞれ複数の異なるスライスについて実行し、第１の画像と第２の画像の同一スライス同士を差分し、前記複数の異なるスライスの差分画像を得ることを特徴とする核磁気共鳴撮影装置。
【請求項３】
請求項２記載の核磁気共鳴撮影装置であって、前記制御手段は、前記第１及び第２の撮影工程の複数回の信号取得工程において、反転縦磁化発生工程の終了から各信号取得工程における高周波パルス照射までの時間（反転時間）TIをスライスごとに異ならせることを特徴とする核磁気共鳴撮影装置。
【請求項４】
請求項２記載の核磁気共鳴撮影装置であって、前記制御手段は、前記第１の反転縦磁化発生工程及び第１の撮影工程と前記第２の反転縦磁化発生工程と第２の撮影工程とを１組として繰り返し、その繰り返し毎に、信号取得工程を実行するスライスの順序を変えることを特徴とする核磁気共鳴撮影装置。
【請求項５】
請求項１記載の核磁気共鳴撮影装置であって、前記制御手段は、前記第１及び第２の撮影工程における複数回の信号取得工程をそれぞれ同一のスライスについて実行し、第１の画像と第２の画像の、TIが同一である画像同士を差分し、前記複数の反転時間TIの異なる差分画像を得ることを特徴とする核磁気共鳴撮影装置。
【請求項６】
請求項１記載の核磁気共鳴撮影装置であって、前記制御手段は、前記第１及び第２の撮影工程における信号取得工程を、スライスエンコード傾斜磁場の印加と位相エンコード傾斜磁場の印加を含む三次元撮影で実行し、第１及び第２の画像を三次元画像データとして取得し、これら三次元画像データ間の差分画像を得ることを特徴とする核磁気共鳴撮影装置。
【請求項７】
請求項１ないし７のいずれか１項記載の核磁気共鳴撮影装置であって、前記制御手段は、前記信号取得工程を、エコープレナーイメージング、分割型エコープレナーイメージング及びバーストシーケンスのいずれかのシーケンスに従って実行することを特徴とする核磁気共鳴撮影装置。
【手続補正３】
【補正対象書類名】明細書
【補正対象項目名】００１１
【補正方法】変更
【補正の内容】
【００１１】
ここで信号取得工程は、１回の磁化の励起によって１以上の信号を取得できるシーケンスであればよく、例えば、検知する磁化を含む被検体に少なくとも１のＲＦパルスを照射し選択されたスライスに横磁化を発生する工程と、横磁化が付与された被検体に傾斜磁場を印加しつつ複数のエコー信号を発生させる工程と、前記エコー信号を時系列的に複数個検出する工程とを含む。
さらに本発明では、１以上のスライスを選択して反転縦磁化を発生させる第１の反転縦磁化発生工程及び第１の撮影工程と、スライスを選択せずに反転縦磁化を発生させる第２の反転縦磁化発生工程及び第２の撮影工程と実行し、第１及び第２の撮影工程でそれぞれ得られた画像の差分を取り、複数の差分画像を得る。
【手続補正４】
【補正対象書類名】明細書
【補正対象項目名】００４３
【補正方法】変更
【補正の内容】
【００４３】
分割型ＥＰＩは、図２に示すＥＰＩの動作209で、一部分のみの位相エンコードデータを取得し、次に位相エンコードのオフセットを与えるパルス203を変化させながら（図中点線で示す）動作209を繰り返し、残りのエコー信号207を取得する。即ち、図６において、連続する信号取得工程603、604、605、606において同一スライスを選択し、順次位相エンコードパルス203を変化させて、分割型ＥＰＩを実行し、異なる位相エンコードでエコー信号を取得する。最終的に４つの信号取得工程でsilice1について１枚の画像を再構成するのに必要なエコー信号を取得する。尚、分割型ＥＰＩでも、各ＥＰＩのＲＦパルスのフリップ角は90度よりも短くし、必要に応じて動作209の後にクラッシャーパルスあるいはディフェイズパルス212を追加する。